(57)【要約】【課題】アクセスの状況に応じた広告を提供する。【解決手段】情報処理システムは、ネットワークにアップロードされたユーザのファイルを記憶するファイル記憶手段と、ユーザに関する情報であるユーザ情報を保持する記憶手段と、ファイル記憶手段に記憶されるファイルを解析する解析手段と、解析手段による解析結果に基づいてファイルに関する情報であるファイル属性情報を生成する生成手段と、ユーザの利用端末からファイル記憶手段へのアクセスが発生した場合に、複数の広告データを保持する広告記憶手段から、アクセスの状況に関するアクセス情報と、記憶手段に保持されるユーザのユーザ情報と、アクセス先のファイルまたはディレクトリに関するファイル属性情報と、に所定の条件が適合する広告データを選択する選択手段と、選択手段によって選択された広告データをユーザの利用端末に送信する送信手段と、を備える。【選択図】図１
2013077064.tif 000002
【特許請求の範囲】
【請求項１】
ネットワークにアップロードされたユーザのファイルを記憶するファイル記憶手段と、
ユーザに関する情報であるユーザ情報を保持する記憶手段と、
前記ファイル記憶手段に記憶されるファイルを解析する解析手段と、
前記解析手段による解析結果に基づいてファイルに関する情報であるファイル属性情報を生成する生成手段と、
前記ユーザの利用端末から前記ファイル記憶手段へのアクセスが発生した場合に、複数の広告データを保持する広告記憶手段から、アクセスの状況に関するアクセス情報と、前記記憶手段に保持される前記ユーザのユーザ情報と、アクセス先のファイルまたはディレクトリに関するファイル属性情報と、に所定の条件が適合する広告データを選択する選択手段と、
前記選択手段によって選択された前記広告データを前記ユーザの前記利用端末に送信する送信手段と、
を備える情報処理システム。
【請求項２】
前記ユーザの利用端末から前記ファイル記憶手段へのアクセスが発生した場合に、前記アクセス情報を収集する収集手段、
をさらに備える請求項１に記載の情報処理システム。
【請求項３】
前記記憶手段に記憶される前記ファイルは、アップロード時とは異なる前記ユーザの利用端末からもアクセス可能であり、
前記選択手段は、前記アクセス情報として、前記利用端末に関する情報を用いて、前記広告記憶手段から前記所定の条件が適合する広告データを選択する、
請求項１又は２に記載の情報処理システム。
【請求項４】
前記選択手段は、前記アクセス情報として、前記ユーザの前記利用端末の位置情報，アクセス経路，利用時刻，利用キャリア，機種個体情報，使用ソフトウェア，ディレクトリ毎の閲覧時間のうち少なくとも一つを用いて、前記広告記憶手段から前記所定の条件が適合する広告データを選択する、
請求項１から３のいずれか一項に記載の情報処理システム。
【請求項５】
前記広告記憶手段に記憶される前記複数の広告データは、それぞれ優先度が設定されており、
前記選択手段は、前記アクセス情報と、前記ユーザ情報と、前記ファイル属性情報と、に前記所定の条件が合致する広告データの中で、前記優先度が最も高い広告データを選択する、
請求項１から４のいずれか一項に記載の情報処理システム。
【請求項６】
ネットワークにアップロードされたユーザのファイルを記憶するファイル記憶手段と、
ユーザに関する情報であるユーザ情報を保持する記憶手段と、
前記ファイル記憶手段に記憶されるファイルを解析する解析手段と、
前記解析手段による解析結果に基づいてファイルに関する情報であるファイル属性情報を生成する生成手段と、
前記ユーザの利用端末から前記ファイル記憶手段へのアクセスが発生した場合に、複数の広告データを保持する広告記憶手段から、アクセスの状況に関するアクセス情報と、前記記憶手段に保持される前記ユーザのユーザ情報と、アクセス先のファイルまたはディレクトリに関するファイル属性情報と、に所定の条件が適合する広告データを選択する選択手段と、
前記選択手段によって選択された前記広告データを前記ユーザの前記利用端末に送信す
る送信手段と、
を備える情報処理装置。
【請求項７】
ネットワークにアップロードされたユーザのファイルを記憶するファイル記憶手段と、ユーザに関する情報であるユーザ情報を保持する記憶手段と、を備える情報処理システムにおいて、コンピュータが、
前記ファイル記憶手段に記憶されるファイルを解析し、
解析結果に基づいてファイルに関する情報であるファイル属性情報を生成し、
前記ユーザの利用端末から前記ファイル記憶手段へのアクセスが発生した場合に、複数の広告データを保持する広告記憶手段から、アクセスの状況に関するアクセス情報と、前記記憶手段に保持される前記ユーザのユーザ情報と、アクセス先のファイルまたはディレクトリに関するファイル属性情報と、に所定の条件が適合する広告データを選択し、
選択した前記広告データを前記ユーザの前記利用端末に送信する、
情報処理方法。
【発明の詳細な説明】
【技術分野】
【０００１】
本発明は、アクセスの状況に応じた広告を提供する情報処理システム及び情報処理方法に関する。
【背景技術】
【０００２】
従来、住宅の地域等の個人属性情報，Ｗｅｂページの閲覧履歴情報等に基づいて、適した広告を特定し、ネットワークを通じてこの広告を情報端末に提供するシステムが提案されている（例えば、特許文献１、２）。
【０００３】
また、近年、クラウドサービスの一つに、ユーザ端末内の記憶手段に保管されるデータをクラウド内の記憶手段に保管し、いつでもどの端末からでもデータを利用できるサービスがある。
【先行技術文献】
【特許文献】
【０００４】
【特許文献１】特開２００７−１２２２１７号公報
【特許文献２】特開２０１０−０２７０８６号公報
【特許文献３】特開２０１０−２８６８８３号公報
【発明の概要】
【発明が解決しようとする課題】
【０００５】
クラウドサービスでは、例えば、アクセスに利用する端末，アクセス経路，アクセス時間等、クラウドにアクセスする際の状況が多様となる。クラウドサービスの提供とともにユーザに広告を提供する場合には、従来のように、ユーザの個人情報や閲覧履歴情報等のアクセスの状況とは関わりの薄い情報のみに基づいて提供する広告を選択する方法では、アクセスの状況に適した広告を提供できずに、結果として、ユーザの興味を引くことができず広告の閲覧率が低くなるおそれがある。
【０００６】
本発明は、上記した問題に鑑み、アクセスの状況に応じた広告を提供可能な情報処理システム及び情報処理方法を提供することを課題とする。
【課題を解決するための手段】
【０００７】
本発明の態様の一つは、ネットワークにアップロードされたユーザのファイルを記憶するファイル記憶手段と、ユーザに関する情報であるユーザ情報を保持する記憶手段と、ファイル記憶手段に記憶されるファイルを解析する解析手段と、解析手段による解析結果に基づいてファイルに関する情報であるファイル属性情報を生成する生成手段と、ユーザの利用端末からファイル記憶手段へのアクセスが発生した場合に、複数の広告データを保持する広告記憶手段から、アクセスの状況に関するアクセス情報と、記憶手段に保持されるユーザのユーザ情報と、アクセス先のファイルまたはディレクトリに関するファイル属性情報と、に所定の条件が適合する広告データを選択する選択手段と、選択手段によって選択された広告データをユーザの利用端末に送信する送信手段と、を備える情報処理システムである。
【０００８】
本発明の態様の一つによれば、ユーザ情報に加え、アクセス情報を用いて広告データを選択するので、ユーザの特性を反映しつつ、アクセスの状況に応じた広告をユーザに提供することができる。したがって、よりユーザの興味を引く広告を提供することができ、広告の閲覧率を向上させることができる。また、選択手段は、アクセス先のファイルまたは
ディレクトリに関するファイル属性情報を用いて、広告記憶手段から所定の条件が適合する広告データを選択する。これによって、ユーザに提供される広告はアクセス先のファイルまたはディレクトリに依存することになり、ユーザのアクセス先に適した広告を提供することができる。
【０００９】
本発明の態様の一つの情報処理システムは、ユーザの利用端末からファイル記憶手段へのアクセスが発生した場合に、アクセス情報を収集する収集手段をさらに備えてもよい。これによって、アクセス発生の度にアクセス情報を更新することができる。
【００１０】
本発明の態様の一つの情報処理システムでは、記憶手段に記憶されるファイルは、アップロード時とは異なるユーザの利用端末からもアクセス可能であり、選択手段は、アクセス情報として、利用端末に関する情報を用いて、広告記憶手段から所定の条件が適合する広告データを選択するようにしてもよい。これによって、同じユーザであっても利用端末が変われば、提供される広告データも変化することとなり、利用端末に応じて適した広告データを提供することができる。
【００１１】
本発明の態様の一つの情報処理システムでは、選択手段は、アクセス情報として、ユーザの利用端末の位置情報，アクセス経路，利用時刻，利用キャリア，機種個体情報，使用ソフトウェア，ディレクトリ毎の閲覧時間のうち少なくとも一つを用いて、広告記憶手段から所定の条件が適合する広告データを選択するようにしてもよい。これによって、アクセスの状況に柔軟に対応した広告データをユーザに提供することができる。
【００１２】
本発明の態様の一つの情報処理システムでは、広告記憶手段に記憶される複数の広告データは、それぞれ優先度が設定されており、選択手段は、アクセス情報とユーザ情報とに所定の条件が合致する広告データの中で、優先度が最も高い広告データを選択するようにしてもよい。これによって、優先度が高いほどユーザに提供される頻度が高くなる。例えば、広告費が高いほど優先度が高くなるように設定することで、広告主の満足のいくサービスを提供することができる。
【００１３】
本発明の他の態様の一つは、情報処理装置であって、この情報処理装置は、ネットワークにアップロードされたユーザのファイルを記憶するファイル記憶手段と、ユーザに関する情報であるユーザ情報を保持する記憶手段と、ファイル記憶手段に記憶されるファイルを解析する解析手段と、解析手段による解析結果に基づいてファイルに関する情報であるファイル属性情報を生成する生成手段と、ユーザの利用端末からファイル記憶手段へのアクセスが発生した場合に、複数の広告データを保持する広告記憶手段から、アクセスの状況に関するアクセス情報と、記憶手段に保持されるユーザのユーザ情報と、アクセス先のファイルまたはディレクトリに関するファイル属性情報と、に所定の条件が適合する広告データを選択する選択手段と、選択手段によって選択された広告データをユーザの利用端末に送信する送信手段と、を備える。
【００１４】
更に、本発明は、態様の一つとして、方法、装置，又はプログラムとしても把握することが可能である。また、本発明の態様の一つは、上述のプログラムをコンピュータその他の装置、機械等が読み取り可能な記録媒体に記録したものでもよい。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００１５】
本発明によれば、アクセスの状況に応じて、広告を提供することができる。
【図面の簡単な説明】
【００１６】
【図１】第１実施形態の情報処理システムの構成例を示す図である。
【図２】情報処理装置のハードウェア構成例を示す図である。
【図３】ユーザ管理システム内のユーザ管理サーバの機能ブロックの例と、ユーザ管理データベースに保持される情報の例とを示す図である。
【図４】パーソナルクラウドシステム内のファイル管理サーバの機能ブロックの例と、ファイル属性データベースに保持される情報の例とを示す図である。
【図５】広告システム内の広告管理サーバの機能ブロックの例と、広告データベースに保持される情報の例と、を示す図である。
【図６】広告表示制御サーバの機能ブロックの例を示す図である。
【図７】情報処理システムにおけるファイルアップロード時の処理のシーケンスの例を示す図である。
【図８】広告抽出処理のフローチャートの例を示す図である。
【図９】広告抽出処理の具体例におけるフローチャートの例である。
【図１０】Ｗｅｂページにおける広告スペースの配置例を示す図である。
【発明を実施するための形態】
【００１７】
以下、図面に基づいて、本発明の実施の形態を説明する。以下の実施形態の構成は例示であり、本発明は実施形態の構成に限定されない。
【００１８】
＜第１実施形態＞
図１は、第１実施形態の情報処理システム１の構成例を示す図である。情報処理システム１は、クラウド上のシステムの一つであって、ユーザ端末内の記憶手段に記憶されるデータを保管するための、クラウド内の記憶手段を提供する。情報処理システム１は、クラウド内の記憶手段を利用するユーザ端末に対して、Ｗｅｂページを通じてクラウド内の記憶手段へのインタフェースを提供する。このとき、情報処理システム１は、適当な広告を選択し、Ｗｅｂページ上に挿入して提供する。
【００１９】
情報処理システム１は、ユーザ管理システム１００，パーソナルクラウドシステム２００，広告表示制御サーバ４０を含む。情報処理システム１は、広告システム３００と連携し，情報処理システム１のユーザに対して広告を提供する。ユーザ管理システム１００，パーソナルクラウドシステム２００，広告システム３００，広告表示制御サーバ４０は、一つの企業によって管理されていてもよいし、それぞれ異なる企業によって管理されていてもよい。情報処理システム１内では、インターネット等の公衆のネットワークからは切り離されたセキュアなネットワークが構築されており、非武装地帯（ＤＭＺ：DeMilitarized Zone、図示せず）を介してインターネットに接続している。この非武装地帯にはＷｅｂサーバ（図示せず）が設置され、情報処理システム１とユーザ端末２との通信はこのＷｅｂサーバを介して行われる。
【００２０】
ユーザ管理システム１００は、情報処理システム１のサービスを利用するユーザに関する情報であるユーザ情報を管理するシステムである。ユーザ管理システム１００は、ユーザ情報へのアクセスを管理するユーザ管理サーバ１０と、ユーザ情報を記憶するユーザ管理データベース１２とを含む。
【００２１】
パーソナルクラウドシステム２００は、ユーザに記憶手段を提供するシステムである。パーソナルクラウドシステム２００は、ユーザに提供する記憶手段であるファイル属性データベース２２と、ファイル属性データベース２２に保持されるデータの管理、及び、ファイル属性データベース２２へのアクセスの管理を行うファイル管理サーバ２０と、を含む。ファイル属性データベース２２には、ユーザ端末２によってアップロードされたファイルと、ファイルに付されたタグ情報とが保持される。
【００２２】
広告システム３００は、広告データを管理するシステムである。広告システム３００は、広告データを記憶する広告データベース３２と，広告データベース３２に記憶される広告データの管理及び広告データベース３２へのアクセスの管理を行う広告管理サーバ３０と、を含む。
【００２３】
広告表示制御サーバ４０は、パーソナルクラウドシステム２００へのユーザ端末２からのアクセス時に、広告データベース３２に保持される広告データの中から適当な広告を選択し、選択した広告データをユーザ端末２への応答として送信されるＷｅｂページの広告スペースに挿入して提供する。このとき、広告表示制御サーバ４０は、ユーザ管理データベース１２に保持されるユーザ情報，ファイル属性データベース２２に保持されるタグ情報に基づいて、ユーザ端末２に送信する広告データを選択する。
【００２４】
第１実施形態では、ユーザ管理サーバ１０，ファイル管理サーバ２０，広告管理サーバ３０，広告表示制御サーバ４０はそれぞれが独立した一台の情報処理装置であり、情報処理システム１内のセキュアなネットワークにより互いに接続されているものとしてとして説明する。また、第１実施形態では、ユーザ管理データベース１２，ファイル属性データベース２２，広告データベース３２は、それぞれ独立した一つの記憶装置であるとして説明する。ただし、これに限られず、一台の情報処理装置が、ユーザ管理サーバ１０，ファイル管理サーバ２０，広告管理サーバ３０，広告表示制御サーバ４０のうちの少なくとも２つの機能を備えるように構成してもよい。また、ユーザ管理データベース１２，ファイル属性データベース２２，広告データベース３２は、一つの記憶装置内にそれぞれ構成されてもよいし、それぞれ複数の記憶装置に亘って構成されてもよい。また、それぞれ対応するサーバとデータベースとは、一台の情報処理装置であってもよい。
【００２５】
ユーザ端末２は、有線又は無線でインターネット等の公衆ネットワーク（図示せず）を介して情報処理システム１にアクセスする端末である。ユーザ端末２は、例えば、パーソナルコンピュータ，スマートフォン，携帯電話端末，携帯情報端末等である。ユーザ端末２は、ネットワークを介して、パーソナルクラウドシステム２００内のファイル属性データベース２２に、ユーザ端末２の記憶手段に保持されるファイルをアップロードする。また、ユーザ端末２は、ネットワークを介してパーソナルクラウドシステム２００内のファイル属性データベース２２に保持されるファイルにアクセスする。ファイルをアップロードしたユーザ端末２と、このファイルにアクセスするユーザ端末２とは、異なる端末であってもよい。
【００２６】
ユーザ端末２は、パーソナルクラウドシステム２００へのファイルのアップロード及びアップロードされたファイルへのアクセスを、ユーザ端末２に備えられるブラウザを用いて行う。この際、ユーザ端末２と情報処理システム１との間の通信は、図１には示されていない情報処理システム１内のＷｅｂサーバを介して行われる。ユーザ端末２には、応答として、ユーザ端末２がアクセスしているファイルまたはディレクトリの情報と、広告表示制御サーバ４０によって選択された広告データとを含むＷｅｂページが送信される。
【００２７】
＜ハードウェア構成＞
図２は、情報処理装置のハードウェア構成例を示す図である。情報処理装置５００は、第１実施形態において、ユーザ管理サーバ１０，ファイル管理サーバ２０，広告管理サーバ３０，広告表示制御サーバ４０として機能する装置である。情報処理装置５００は、例えば、サーバ専用のコンピュータである。情報処理装置５００は、制御部５１，入力装置５３，出力装置５４，補助記憶装置５５，可搬記録媒体駆動装置５６，及びネットワークインタフェース５７を備える。情報処理装置５００において、これらはバス５９により互いに電気的に接続されている。
【００２８】
入力装置５３は、例えば、キーボード、マウス等のポインティングデバイス等である。入力装置５３から入力されたデータは、制御部５１に出力される。
【００２９】
ネットワークインタフェース５７は、ネットワークとの情報の入出力を行うインタフェースである。ネットワークインタフェース５７は、例えば、コールセンタ内のＬＡＮ（Local Area Network）に接続するためのＮＩＣ（Network Interface Card），光ネットワークに接続するための光コネクタ等である。ネットワークインタフェース５７で受信されたデータ等は、制御部５１に出力される。
【００３０】
補助記憶装置５５は、様々なプログラムや、各プログラムの実行に際して制御部５１が使用するデータを格納する。補助記憶装置５５は、例えば、ＥＰＲＯＭ（Erasable Programmable ROM）、ハードディスク（Hard Drive Disc）である。補助記憶装置５５は、例えば、オペレーティングシステム（ＯＳ），その他様々なアプリケーションプログラムを保持する。
【００３１】
可搬記録媒体駆動装置５６は、可搬記録媒体を駆動し、可搬記録媒体に記録されたデータを読み出す。読み出されたデータは制御部５１に出力される。可搬記録媒体は、例えば、ＵＳＢ（Universal Serial Bus）メモリ、ＣＤ（Compact Disc）やＤＶＤ（Digital Versatile Disc）のようなディスク記録媒体、フラッシュメモリカードのような記録媒体である。
【００３２】
制御部５１は、プロセッサ５１ａとＲＡＭ５１ｂとを含む。プロセッサ５１ａは、例えば、ＣＰＵ（Central Processing Unit）や、ＤＳＰ（Digital Signal Processor）であ
る。プロセッサ５１ａは、補助記憶装置５５に保持されたＯＳや様々なアプリケーションプログラムを主記憶装置５１ｂにロードして実行することによって、様々な処理を実行する。なお、制御部５１は、プロセッサ５１ａを複数含んでもよい。
【００３３】
主記憶装置５１ｂは、プロセッサ５１ａに、補助記憶装置５５に格納されているプログラムをロードする記憶領域および作業領域を提供したり、バッファとして用いられたりする記憶装置である。主記憶装置５１ｂは、例えば、ＲＡＭ（Random Access Memory）のような半導体メモリである。
【００３４】
出力装置５４は、制御部５１の処理の結果を出力する。出力装置５４は、ディスプレイやプリンタである。
【００３５】
なお、情報処理装置５００のハードウェア構成は、情報処理装置に備えられる機能（ユーザ管理サーバ１０，ファイル管理サーバ２０，広告管理サーバ３０，広告表示制御サーバ４０）によって適宜変更（置換，追加，削除）可能である。例えば、情報処理装置は、入力装置５３や出力装置５４を含まなくてもよい。
【００３６】
＜ユーザ管理システム＞
図３は、ユーザ管理システム１００内のユーザ管理サーバ１０の機能ブロックの例と、ユーザ管理データベース１２に保持される情報の例とを示す図である。ユーザ管理サーバ１０は、制御部５１による所定のプログラムの実行によって、ユーザ情報更新部１０２と、アクセス管理部１０４として動作する。
【００３７】
ユーザ情報更新部１０２は、ユーザ管理データベース１２に保持されるユーザ情報を更新する。ここで、ユーザ情報の更新には、ユーザ情報の新規追加，変更，削除等が含まれる。具体的には、ユーザ情報更新部１０２は、情報処理システム１の管理者端末からの入
力に応じてユーザ情報を更新する。また、ユーザ情報更新部１０２は、ユーザ情報を登録済みのユーザからアクセスがあった場合に、該当ユーザのユーザ情報を更新する（詳細は後述）。態様における収集部は、例えば、ユーザ情報更新部１０２である。
【００３８】
アクセス管理部１０４は、情報処理システム１内の他の装置からのユーザ管理データベース１２へのアクセスを管理する。したがって、ユーザ管理データベース１２へのデータの書込み及びユーザ管理データベース１２からのデータの読出し等のアクセスは、全てアクセス管理部１０４を介して行われる。
【００３９】
ユーザ管理データベース１２には、情報処理システム１が提供するサービスの利用契約を交わしたユーザのユーザ情報が保持されている。ユーザ情報には、ユーザ基本情報とアクセス情報とが含まれる。ユーザ基本情報には、ユーザＩＤ，氏名，年齢，性別，住所，利用歴等が含まれる。アクセス情報には、ユーザがアクセスに利用する端末の機種個体情報，位置情報，アクセス経路，利用キャリア，利用時刻等が含まれる。アクセス情報は、アクセスの状況に依存して変化する情報である。アクセスの状況には、アクセスに利用される端末の機種個体情報，アクセス先，位置情報，アクセス経路，利用キャリア，利用時刻等が含まれる。一方、ユーザ基本情報は、アクセスの状況には依存しない情報であり、意図的な変更処理が実行されない限りは変化しない情報である。アクセス情報は、ユーザ端末からのアクセスの状況によって変化するので、アクセス発生の度にユーザ情報更新部１０２によって更新される。態様におけるユーザ情報は、例えば、ユーザ基本情報である。
【００４０】
＜パーソナルクラウドシステム＞
図４は、パーソナルクラウドシステム２００内のファイル管理サーバ２０の機能ブロックの例と、ファイル属性データベース２２に保持される情報の例とを示す図である。ファイル管理サーバ２０は、制御部５１による所定のプログラムの実行によって、タグ生成部２０２，ファイル解析部２０４，アクセス管理部２０６として動作する。
【００４１】
タグ生成部２０２は、ユーザ端末からファイル属性データベース２２にアップロードされたファイルに応じたタグを生成し、該ファイルのタグ情報としてファイル属性データベース２２に格納する。タグ生成部２０２は、例えば、アップロードされたファイルに付属する情報、ファイル解析部２０４によるアップロードされたファイルの解析結果から得られる情報からタグを生成する。態様における生成部は、例えば、タグ生成部２０２である。
【００４２】
ファイル解析部２０４は、ファイル属性データベース２２にアップロードされたファイルを解析する。ファイル解析部２０４によるファイルの解析によって、例えば、解析対象のファイルの作成に用いられたソフトウェア（ソフトウェア情報），該ソフトウェアのバージョン情報，解析対象のファイルの作成日及び／又は更新日等が取得される。これらのファイルの解析結果は、タグ生成部２０２によるタグ生成に用いられる。また、ファイル解析部２０４は、ディレクトリ（フォルダ）毎の合計閲覧時間を計測する。ディレクトリ毎の合計閲覧時間も、タグ生成部２０２によるタグ生成に用いられる。態様における解析部は、例えば、ファイル解析部２０４である。
【００４３】
アクセス管理部２０６は、情報処理システム１内の他の装置，または、ユーザ端末からのファイル属性データベース２２へのアクセスを管理する。したがって、ファイル属性データベース２２へのデータの書込み及びファイル属性データベース２２からのデータの読出し等のアクセスは、全てアクセス管理部２０６を介して行われる。
【００４４】
ファイル属性データベース２２は、ユーザに提供されるクラウド上の記憶手段であり、
例えば、ＨＤＤ（Hard Disk Drive）等の不揮発性の記憶手段である。ファイル属性デー
タベース２２には、ファイル本体（図示せず）とタグ情報とが保持されている。タグ情報はそれぞれのファイルと、各ディレクトリに対して用意されている。ファイルとタグ情報とは、ユーザ毎にグループ化されている。
【００４５】
タグ情報は、ファイルの付加情報である。タグ情報は、ユーザ端末に提供する広告を決定する際に、広告決定の判断材料として用いられる。ファイルのタグ情報には、ファイル基本情報とファイル解析情報とが含まれる。ファイル基本情報は、ファイルに付属する情報であって、ファイルを解析せずとも得られる情報である。ファイル基本情報は、例えば、ファイル名，ディレクトリ名，拡張子等である。ファイル解析情報は、ファイルを解析しないと得られない情報である。ファイル解析情報は、例えば、ファイルの作成に用いられたソフトウェアの情報(ソフトウェア情報)，該ソフトウェアのバージョン情報，該ファイルの作成日及び／又は更新日等である。ファイルがデジタルカメラで撮影された画像ファイルである場合には、ファイル解析情報には、例えば、撮影日，デジタルカメラの機種名，レンズ等の撮影に関する撮影情報，撮影場所のＧＰＳ情報，等も含まれる。ディレクトリのタグ情報には、例えば、ディレクトリ名，ディレクトリの作成日／更新日，ファイル解析部２０４によって計測される合計閲覧時間が含まれる。態様におけるファイル記憶手段は、例えば、ファイル属性データベース２２である。態様におけるファイル属性情報は、例えば、ファイル解析情報である。
【００４６】
＜広告システム＞
図５は、広告システム３００内の広告管理サーバ３０の機能ブロックの例と、広告データベース３２に保持される情報の例と、を示す図である。広告管理サーバ３０は、制御部５１による所定のプログラムの実行によって、アクセス管理部３０２，条件設定部３０４として動作する。
【００４７】
アクセス管理部３０２は、情報処理システム１内の他の装置からの広告データベース３２へのアクセスを管理する。したがって、広告データベース３２へのデータの書込み及び広告データベース３２からのデータの読出し等のアクセスは、全てアクセス管理部３０２を介して行われる。
【００４８】
条件設定部３０４は、例えば、情報処理システム１の管理端末、又は、広告システム３００の管理端末からの入力に従って、広告データベース３２内に保持される広告データそれぞれの掲載条件を設定する。
【００４９】
広告データベース３２には、広告データ群と、掲載条件と、が保持されている。広告データ群は、広告主との契約料金に応じてグループ分けされて保持されている。例えば、図５に示される例では、広告データは、１クリック当たりの単価に応じて、高、中、低の３つにグループ分けされている。掲載条件は、それぞれの広告データに対して設定される、Ｗｅｂページの広告スペースに掲載されるための条件であって、例えば、ユーザの年齢，性別，住所，ファイルのタグ情報等で設定されている。態様における広告記憶手段は、例えば、広告データベース３２である。
【００５０】
＜広告表示制御サーバ＞
図６は、広告表示制御サーバ４０の機能ブロックの例を示す図である。広告表示制御サーバ４０は、制御部５１が所定のプログラムを実行することによって、広告抽出部４２，広告表示処理部４４として機能する。
【００５１】
広告抽出部４２は、ユーザ端末からのアクセスの応答としてのＷｅｂページ上の広告スペースに掲載する広告を広告データベース３２の中から抽出する。広告抽出部４２は、ユ
ーザ情報，タグ情報を、掲載情報と突き合わせて、合致する広告データをＷｅｂページに掲載する広告として抽出する。態様における選択部は、例えば、広告抽出部４２である。
【００５２】
広告表示処理部４４は、広告抽出部４２によって抽出された広告データをＷｅｂページの広告スペースに挿入し、Ｗｅｂサーバを通じてこのＷｅｂページをユーザ端末に送信する。態様における送信部は、例えば、広告表示処理部４４である。
【００５３】
なお、図３から図６において示されるそれぞれのサーバの機能ブロックは、各機能ブロックの処理を専門的に行う電子回路であってもよい。
【００５４】
＜動作例＞
図７は、情報処理システム１におけるファイルアップロード時の処理のシーケンスの例を示す図である。
【００５５】
ＯＰ１では、ユーザがユーザ端末を用いて情報処理システム１が提供するサービスにログインする。このログインは、非武装地帯に設置されるＷｅｂサーバ（図示せず）上で行われる。ログイン時に、ユーザ端末からは、ユーザＩＤ，パスワード，ユーザ端末の機種個体情報，位置情報，利用時間等の情報が送信される。
【００５６】
ＯＰ２では、ユーザ管理サーバ１０が、ログインしたユーザの情報をＷｅｂサーバから取得し、ユーザ管理データベース１２内の該当ユーザのユーザ情報（アクセス情報）を更新する。アクセス情報は、例えば、ログイン時にユーザ端末から送信される情報（ユーザ端末の機種個体情報，位置情報，利用時間，利用キャリア等），ユーザ端末がＷｅｂサーバに接続までの経路上の中継装置等で付される情報（アクセス経路等），等から収集可能である。
【００５７】
ＯＰ３では、ユーザ端末からファイル属性データベース２２にファイルがアップロードされる。ＯＰ４では、ファイル管理サーバ２０は、ファイルアップロード時に、アップロードされたファイルに付属する情報からファイル基本情報を収集し、タグとしてタグ情報に蓄積する。ＯＰ５では、ファイル管理サーバ２０は、ファイルのアップロード完了後、アップロードされたファイルを解析して、ファイル解析情報を取得し、タグ情報に蓄積する。
【００５８】
ＯＰ６では、広告表示制御サーバ４０は、ユーザ管理データベース１２に保持されるユーザ情報，ファイル属性データベース２２に保持されるタグ情報を、広告データベース３２の掲載条件と突き合わせて、これらが合致する広告を抽出する広告抽出処理を実行する。抽出された広告はＷｅｂページに挿入されてユーザ端末に送信される。ＯＰ７では、ユーザ端末が閲覧するＷｅｂページに抽出された広告が表示される。
【００５９】
図７では、ファイルのアップロード時の情報処理システム１の動作例について示した。ファイル属性データベース２２内のファイルを閲覧する場合には、ログイン（ＯＰ１），ユーザ情報の更新（ＯＰ２），広告抽出処理（ＯＰ６），広告の表示（ＯＰ７）が実行される。
【００６０】
なお、ＯＰ２におけるユーザ情報の更新は、ユーザ管理サーバ１０のユーザ情報更新部１０２の処理に相当する。ＯＰ４，ＯＰ５におけるタグ情報の蓄積（生成）は、ファイル管理サーバ２０のタグ生成部２０２の処理に相当する。ＯＰ５におけるアップロードされたファイルの解析は、ファイル管理サーバ２０のファイル解析部２０４の処理に相当する。ＯＰ６の広告抽出処理は、広告表示制御サーバ４０の広告抽出部４２の処理に相当する。
【００６１】
図８は、広告抽出処理のフローチャートの例を示す図である。図８に示されるフローチャートは、図７のＯＰ６の広告抽出処理、ＯＰ７の広告表示に係る処理を具体的に示したものである。また、図８は、情報処理システム１が図１−図６の構成を有する場合の広告抽出処理のフローチャートの例である。
【００６２】
ＯＰ１１では、広告管理サーバ３０は、各広告データに対して、掲載条件を設定する。この処理は、例えば、広告データが新たに広告データベース３２に格納された際に行われてもよいし、所定のタイミングで新規追加された広告データについて一括して行われてもよい。
【００６３】
ＯＰ１２では、ログイン終了後、例えば、ユーザ端末は、ファイルの閲覧等のために情報処理システム１にアクセスする。このとき、ユーザ端末は、ブラウザを用いてＷｅｂサイトにアクセスし、Ｗｅｂサーバを介して情報処理装置１にアクセスすることとなる。
【００６４】
ＯＰ１３では、広告表示制御サーバ４０は、アクセスしてきたユーザのユーザ管理データベース１２のユーザ情報と、アクセス先のファイルまたはディレクトリのファイル属性データベース２２のタグ情報とを抽出する。広告表示制御サーバ４０は、抽出したユーザ情報とタグ情報とを、単価の低い広告データグループに含まれるそれぞれの広告データの掲載条件と照合する。
【００６５】
ＯＰ１４では、広告表示制御サーバ４０は、抽出したユーザ情報とタグ情報とに掲載条件が合致する広告データが単価の低い広告データグループ内に存在するか否かを判定する。抽出したユーザ情報とタグ情報とに掲載条件が合致する広告データが存在する場合には（ＯＰ１４：Ｙｅｓ）、処理がＯＰ１５に進む。抽出したユーザ情報とタグ情報とに掲載条件が合致する広告データが存在しない場合には（ＯＰ１４：Ｎｏ）、処理が終了する。この場合には、ユーザ端末がアクセスするＷｅｂページの広告スペースには、所定の広告データが表示される。所定の広告データは、抽出したユーザ情報とタグ情報とがいずれの広告データの掲載条件にも合致しない場合に表示される、予め広告データベース３２に用意された広告データであり（図示せず）、掲載条件を有しない広告データである。
【００６６】
ＯＰ１５では、広告表示制御サーバ４０は、アクセスしてきたユーザのユーザ情報と、アクセス先のファイルまたはディレクトリのタグ情報とを、単価が中程度の広告データグループに含まれるそれぞれの広告データの掲載条件と照合する。
【００６７】
ＯＰ１６では、広告表示制御サーバ４０は、抽出したユーザ情報とタグ情報とに掲載条件が合致する広告データが単価の中程度の広告データグループ内に存在するか否かを判定する。抽出したユーザ情報とタグ情報とに掲載条件が合致する広告データが存在しない場合には（ＯＰ１６：Ｎｏ）、処理がＯＰ１７に進む。抽出したユーザ情報とタグ情報とに掲載条件が合致する広告データが存在する場合には（ＯＰ１６：Ｙｅｓ）、処理がＯＰ１８に進む。
【００６８】
ＯＰ１７では、広告表示制御サーバ４０は、ユーザ情報とタグ情報とが掲載条件に合致した単価が低い広告データグループの広告データ（ＯＰ１４参照）をＷｅｂページに挿入し、ユーザ端末に送信する。ユーザ端末では、単価が低く、ユーザ情報及びタグ情報に応じた広告データが表示される。
【００６９】
ＯＰ１８では、広告表示制御サーバ４０は、アクセスしてきたユーザのユーザ情報と、アクセス先のファイルまたはディレクトリのタグ情報とを、単価の高い広告データグループに含まれるそれぞれの広告データの掲載条件と照合する。
【００７０】
ＯＰ１９では、広告表示制御サーバ４０は、単価の高い広告データグループ内に、抽出したユーザ情報とタグ情報とに掲載条件が合致する広告データが存在するか否かを判定する。抽出したユーザ情報とタグ情報とに掲載条件が合致する広告データが存在しない場合には（ＯＰ１９：Ｎｏ）、処理がＯＰ２０に進む。抽出したユーザ情報とタグ情報とに掲載条件が合致する広告データが存在する場合には（ＯＰ１９：Ｙｅｓ）、処理がＯＰ２１に進む。
【００７１】
ＯＰ２０では、広告表示制御サーバ４０は、ユーザ情報とタグ情報とが掲載条件に合致した単価が中程度の広告データグループの広告データ（ＯＰ１６参照）をＷｅｂページに挿入し、ユーザ端末に送信する。ユーザ端末では、単価が中程度で、ユーザ情報及びタグ情報に応じた広告データが表示される。
【００７２】
ＯＰ２１では、広告表示制御サーバ４０は、ユーザ情報とタグ情報とが掲載条件に合致した単価が高い広告データグループの広告データ（ＯＰ１９参照）をＷｅｂページに挿入し、ユーザ端末に送信する。ユーザ端末では、単価が高く、ユーザ情報及びタグ情報に応じた広告データが表示される。
【００７３】
以上より、図８に示される広告抽出処理では、ユーザ情報とタグ情報とを用いてＷｅｂページに挿入する広告データが選択される。ユーザ情報には、アクセスの状況に依存するアクセス情報と、ユーザ基本情報が含まれている。ユーザ基本情報が広告抽出処理において用いられることによって、ユーザの特性や嗜好に応じた広告を抽出することができる。アクセス情報が広告抽出処理において用いられることによって、アクセスの状況に応じた適切な広告を抽出することができる。また、タグ情報が広告抽出処理において用いられることによって、閲覧先のファイルまたはディレクトリの特性に応じた適切な広告を抽出することができる。したがって、図８に示される広告抽出処理によれば、ユーザの特性や嗜好、閲覧先のファイルまたはディレクトリの特性を考慮しつつ、アクセスの状況が反映された広告をユーザに提供することができ、よりユーザの興味を引く広告を提供することができる。
【００７４】
また、図８に示される広告抽出処理では、単価が高い広告データグループほどユーザに提供される優先度が高くなる。この点はアピールポイントとなり、広告主とより単価の高い契約を結ぶことができる。
【００７５】
なお、ＯＰ１７，ＯＰ２０，ＯＰ２１において、ユーザに提供される広告データの候補の数が広告スペースの数よりも多い場合には、広告表示制御サーバ４０は、候補の広告データの中から広告スペースの数の広告データを選択してユーザに提供する。ユーザに提供される広告データは、例えば、ランダムに選択されてもよいし、提供頻度の低い順、単価が高い順、合致する掲載条件の数が多い順等の優先度によって選択されてもよく、情報処理システム１の管理者が自由に設定できる。
【００７６】
また、ＯＰ１１の処理は、広告管理サーバ３０の条件設定部３０４の処理に相当する。ＯＰ１３−ＯＰ１６，ＯＰ１８，ＯＰ１９の処理は、広告表示制御サーバ４０の広告抽出部４２の処理に相当する。ＯＰ１７，ＯＰ２０，ＯＰ２１の処理は、広告表示制御サーバ４０の広告表示処理部４４の処理に相当する。
【００７７】
図９は、広告抽出処理の具体例におけるフローチャートの例である。単価の低い広告データグループには、掲載条件が、住所が関東エリアであること、年齢が２０代−３０代であること、性別が女性であること、である、関東エリア在住の２０代−３０代女性向けの広告データが保持されている。単価が中程度の広告データグループには、掲載条件がソフ
トウェアＡの旧バージョンを使用して作成されているファイルであることである、ソフトウェアＡの最新バージョン販売の広告データが保持されている。また、単価が中程度の広告データグループには、掲載条件がユーザのソフトウェアＡの使用頻度が所定の閾値より高いことである、ソフトウェアＡのスキルアップ講座の広告データも保持されている。単価が高い広告データグループには、掲載条件が、アクセスに使用されるユーザ端末のスペックがソフトウェアＡ推奨スペックよりも低スペックであることである、高スペックパソコン販売の広告データが保持されている。また、図９における例では、Ｗｅｂページには、複数の広告スペースがあるものと想定する。
【００７８】
ＯＰ３１では、広告システム３００の管理端末によって、各広告データに、上記の掲載条件が設定される。ＯＰ３２では、ログイン終了後、例えば、ユーザ端末はファイルを閲覧する等のために情報処理システム１にアクセスする。このとき、ユーザ端末は、Ｗｅｂサイトにアクセスし、Ｗｅｂサーバを介して情報処理装置１にアクセスすることとなる。
【００７９】
ＯＰ３３では、広告表示制御サーバ４０は、アクセスしてきたユーザのユーザ管理データベース１２のユーザ情報と、アクセス先のファイルまたはディレクトリのファイル属性データベース２２のタグ情報とを抽出する。広告表示制御サーバ４０は、抽出したユーザ情報とタグ情報とを、単価の低い広告データグループに含まれる広告データの掲載条件と照合する。
【００８０】
ＯＰ３４では、広告表示制御サーバ４０は、抽出したユーザ情報とタグ情報とに掲載条件が合致する広告データが、単価の低い広告データグループに存在するか否かを判定する。ユーザの住所が関東エリアであって、ユーザが２０代−３０代の女性である場合には、単価の低い広告データグループに含まれる広告データの掲載条件に合致し（ＯＰ３４：Ｙｅｓ）、処理がＯＰ３５に進む。ユーザの住所が関東エリアではない、又は、ユーザが２０代−３０代の女性ではない場合には、抽出したユーザ情報とタグ情報とに掲載条件が合致する広告データは、単価の低い広告データグループには存在しないので（ＯＰ３４：Ｎｏ）、処理が終了する。この場合には、掲載条件を有しない所定の広告データがＷｅｂページに挿入されてユーザ端末に送信される。なお、ユーザの住所，年齢，性別は、例えば、ユーザ情報のユーザ基本情報から特定可能である（図３参照）。
【００８１】
ＯＰ３５では、広告表示制御サーバ４０は、抽出したユーザ情報とタグ情報とを、単価の中程度の広告データグループに含まれる広告データの掲載条件と照合する。ＯＰ３６では、広告表示制御サーバ４０は、抽出したユーザ情報とタグ情報とに掲載条件が合致する広告データが、単価が中程度の広告データグループに存在するか否かを判定する。閲覧対象のファイルまたはディレクトリに含まれるファイルが旧バージョンのソフトウェアＡを用いて作成されている場合、又は、ソフトウェアＡの使用頻度が所定の閾値よりも高い場合には、単価が中程度の広告データグループに含まれる広告データの掲載条件に合致し（ＯＰ３６：Ｙｅｓ）、処理がＯＰ３８に進む。閲覧対象のファイルまたはディレクトリに含まれるファイルが最新バージョンのソフトウェアＡを用いて作成されている場合、且つ、ソフトウェアＡの使用頻度が所定の閾値よりも高くない場合には、抽出したユーザ情報とタグ情報とに掲載条件が合致する広告データは、単価が中程度の広告データグループには存在しないので（ＯＰ３６：Ｎｏ）、処理がＯＰ３７に進む。なお、閲覧対象のファイルまたはディレクトリに含まれるファイルが最新バージョンのソフトウェアＡを用いて作成されているか否かは、例えば、該当ファイルのタグ情報のファイル解析情報により特定可能である（図４参照）。また、ソフトウェアＡの使用頻度が所定の閾値よりも高いか否かは、例えば、閲覧対象のディレクトリ内のソフトウェアＡによって作成されているファイル数等により特定可能である。
【００８２】
ＯＰ３７では、広告表示制御サーバ４０は、単価の低い広告データグループの、掲載条
件が、ユーザの住所が関東エリアであること、ユーザの年齢が２０代−３０代であること、ユーザが女性であること、である、関東在住の２０代−３０代の女性向けの広告データ（ＯＰ３４参照）をＷｅｂページに挿入し、ユーザ端末に送信する。ユーザ端末では、単価の低い広告データグループの、関東エリア在住の２０代−３０代女性向けの広告データが表示される。
【００８３】
ＯＰ３８では、広告表示制御サーバ４０は、アクセスしてきたユーザのユーザ情報と、アクセス先のファイルまたはディレクトリのタグ情報とを、単価の高い広告データグループに含まれる広告データの掲載条件と照合する。
【００８４】
ＯＰ３９では、広告表示制御サーバ４０は、単価が高い広告データグループ内に、抽出のしたユーザ情報とタグ情報とに掲載条件が合致する広告データが存在するか否かを判定する。アクセスに使用されているユーザ端末のスペックがソフトウェアＡ推奨のスペックよりも低いパソコンである場合には、単価の高い広告データグループに含まれる広告データの掲載条件に合致し（ＯＰ３９：Ｙｅｓ）、処理がＯＰ４１に進む。アクセスに使用されているユーザ端末のスペックがソフトウェアＡ推奨のスペックを満たしている場合には、抽出したユーザ情報とタグ情報とに掲載条件が合致する広告データは、単価の高い広告データグループには存在しないので（ＯＰ３９：Ｎｏ）、処理がＯＰ４０に進む。なお、アクセスに利用されるユーザ端末のスペックは、例えば、ユーザ情報のアクセス情報に含まれる、このユーザ端末の機種個体情報から特定可能である（図３参照）。
【００８５】
ＯＰ４０では、広告表示制御サーバ４０は、単価が中程度の広告データグループに含まれる、掲載条件が、閲覧対象のファイルまたはディレクトリに含まれるファイルが旧バージョンのソフトウェアＡを用いて作成されていることである、ソフトウェアＡの最新バージョン販売の広告データをＷｅｂページに挿入する。また、広告表示制御サーバ４０は、掲載条件がソフトウェアＡの使用頻度が所定の閾値よりも高いことである、ソフトウェアＡのスキルアップ講座の広告データ（ＯＰ３６参照）も同じＷｅｂページ上の広告スペースに挿入し、このＷｅｂページをユーザ端末に送信する。ユーザ端末では、単価が中程度の広告データグループの、ソフトウェアＡの最新バージョン販売の広告データと、ソフトウェアＡのスキルアップ講座の広告データとが表示される。
【００８６】
ＯＰ４１では、広告表示制御サーバ４０は、単価の高い広告データグループに含まれる、掲載条件が、アクセスに使用されるユーザ端末のスペックがソフトウェアＡ推奨のスペックよりも低いことである、高スペックパソコン販売の広告データ（ＯＰ３９参照）をＷｅｂページに挿入し、ユーザ端末に送信する。ユーザ端末では、単価が高く、高スペックパソコン販売の広告データが表示される。
【００８７】
図９に示される例では、例えば、ユーザが関東在住の２０代−３０代の女性である場合には、ユーザ端末が、ソフトウェアＡ推奨のスペックを満たすか否かによって、ユーザ端末に提供される広告データが異なる。クラウドサービスの場合には、アクセスに使用されるユーザ端末がいつも同じ端末とは限らない。したがって、図９に示される例のように、第１実施形態によれば、アクセスに使用されるユーザ端末に応じて、提供される広告データを決定することができる。
【００８８】
また、ＯＰ３１の処理は、広告管理サーバ３０の条件設定部３０４の処理に相当する。ＯＰ３３−ＯＰ３６，ＯＰ３８，ＯＰ３９の処理は、広告表示制御サーバ４０の広告抽出部４２の処理に相当する。ＯＰ３７，ＯＰ４０，ＯＰ４１の処理は、広告表示制御サーバ４０の広告表示処理部４４の処理に相当する。
【００８９】
＜変形例＞
図１０は、Ｗｅｂページにおける広告スペースの配置例を示す図である。Ｗｅｂページには、図１０に示される例のように、複数の広告スペースが含まれる。Ｗｅｂページにおいては、ページトップに近い広告スペースほど広告費が高く、ページ下部の広告スペースほど広告費が低く設定されることが多い。また、Ｗｅｂページの左側の位置の方が広告費が高く設定されることが多い。
【００９０】
そこで、広告データグループと、広告スペースとを対応付けておき、各広告スペースに表示される広告データは対応する広告データグループから選択されるようにしてもよい。例えば、図１０における広告スペース６０ａ−６０ｄは、単価の高い広告データグループから選択する。例えば、図１０における広告スペース６０ｅ−６０ｆは、単価が中程度の広告データグループから選択する。例えば、図１０における広告スペース６０ｇ−６０ｊは、単価の低い広告データグループから選択する。このとき、各広告グループからの広告データの選択方法は、第１実施形態と同様に、掲載条件がユーザ情報とタグ情報とに合致する広告データを選択するようにしてもよい。
【００９１】
また、各広告データグループをさらに単価のレベルで広告データサブグループに細分化して、各広告スペースについて、図８のフローチャートを実行してもよい。このとき、図８における単価の低、中、高のそれぞれの広告データグループを、単価のレベルで細分化された広告データサブグループに置き換える。
【００９２】
＜第１実施形態の作用効果＞
第１実施形態によれば、ユーザ基本情報等のアクセスの状況に依存しない情報と、アクセス情報やアクセス先のファイルのタグ情報等のアクセスの状況に依存する情報とを用いて、ユーザに提供される広告データが選択される。例えば、同じユーザであっても、アクセスに使用されるユーザ端末，アクセス時刻，アクセス先のファイル，アクセス経路等のアクセスの状況に応じて、ユーザに提供される広告データを変えることができる。したがって、第１実施形態によれば、ユーザの住所，年齢，性別，嗜好等の特性を反映しつつ、さらにアクセスの状況に応じた広告データを提供することができる。これによって、ユーザの要望やアクセスの状況に、より適合する広告データを提供することができ、ユーザの興味を引くことができる。
【符号の説明】
【００９３】
１        情報処理システム
２        ユーザ端末
１０      ユーザ管理サーバ
１２      ユーザ管理データベース
２０      ファイル管理サーバ
２２      ファイル属性データベース
３０      広告管理サーバ
３２      広告データベース
４０      広告表示制御サーバ
４２      広告抽出部
４４      広告表示処理部
１００    ユーザ管理システム
１０２    ユーザ情報更新部
１０４    アクセス管理部
２００    パーソナルクラウドシステム
２０２    タグ生成部
２０４    ファイル解析部
２０６    アクセス管理部
３００    広告システム
３０２    アクセス管理部
３０４    条件設定部
【図１】
2013077064.tif 000003
【図２】
2013077064.tif 000004
【図３】
2013077064.tif 000005
【図４】
2013077064.tif 000006
【図５】
2013077064.tif 000007
【図６】
2013077064.tif 000008
【図７】
2013077064.tif 000009
【図８】
2013077064.tif 000010
【図９】
2013077064.tif 000011
【図１０】
2013077064.tif 000012